(57)【要約】【課題】  ユーザが所望する映像信号の映像を見やすい形態で提示するようにした放送受信装置を提供することを目的とする。【解決手段】  放送受信装置は、同時に受信した複数の放送の内容が異なる場合には、異なる放送内容の映像信号のうち、高画質の映像信号の映像を表示手段の主画面に表示するとともに低画質の映像信号の映像を副画面に表示し、複数の放送の内容が同一の場合には、高画質の映像信号の映像のみを主画面に表示するように制御する。【選択図】  図１
2010004091.tif 000002
【特許請求の範囲】
【請求項１】
少なくとも映像信号を含む放送を受信する放送受信装置において、
複数の放送を同時に受信してそれぞれ映像信号を出力する受信手段と、
前記受信手段による映像信号の映像を表示するための主画面と当該主画面の表示領域内に設けられた副画面とを有する表示手段と、
前記受信手段によって同時に受信した複数の放送の内容を比較する比較手段と、
前記比較手段の結果に応じて、前記複数の放送の内容が異なる場合には、前記受信手段によって受信した複数の異なる放送内容の映像信号のうち、一方の映像信号の映像を前記主画面に表示するとともに他方の映像信号の映像を副画面に表示し、前記複数の放送の内容が同一の場合には、前記受信手段によって受信した複数の同一の放送内容の映像信号のうち、何れか一つの映像信号の映像を前記主画面に表示するように制御する表示制御手段と、
を備えたことを特徴とする放送受信装置。
【請求項２】
前記表示制御手段は、内容が異なる複数の放送が高画質の映像信号と低画質の映像信号である場合に、高画質の映像信号の映像を前記主画面に表示するとともに低画質の映像信号の映像を副画面に表示するように制御することを特徴とする請求項１に記載の放送受信装置。
【請求項３】
前記表示制御手段は、内容が同一の複数の放送が高画質の映像信号と低画質の映像信号である場合に、高画質の映像信号の映像を前記主画面に表示するように制御することを特徴とする請求項１または請求項２に記載の放送受信装置。
【発明の詳細な説明】
【技術分野】
【０００１】
本発明は、放送番組を受信することができる放送受信装置に関するものであり、特に、異なる画質の放送（例えば、１セグメント方式の放送と１２セグメント方式の放送）の番組を同時に受信して選択的に表示画面上に表示するようにした放送受信装置に関するものである。
【背景技術】
【０００２】
近年、ナビゲーションシステムの性能は飛躍的に向上し、多機能化が進んでいる。特に、出発地と目的地とを最適ルートで結ぶ誘導経路を自動的に検索し、ＬＣＤ等の表示装置に表示する経路探索機能に加えて、近年になって普及し始めた地上デジタル放送を受信し、ＬＣＤ等の表示装置を用いて表示するテレビ放送受信機能を備えたナビゲーションシステムも広く普及している。
【０００３】
地上デジタル放送は、一つのチャンネルが１３のセグメント（階層）に分割されて、一つ或いは複数のセグメントを用いて、映像および音声等のデータを送信することが可能であり、その放送形態の違いによって区別することができる。例えば、高画質のハイビジョン放送は同時に１２のセグメントを必要とするため、一般に１２セグ放送（１２セグメント放送）と呼ばれている。また、低画質な移動体向け放送（携帯電話やカーナビ向けの放送）は１セグメントのみで送信可能なため、一般にワンセグ放送（１セグメント放送）と呼ばれている。
【０００４】
ワンセグ放送は、映像符号化技術にＨ．２６４／ＭＰＥＧ−４  ＡＶＣを採用することにより、少ないデータ量で安定度の高いデータ放送の実現を図っている。なお、一つのチャンネルにおいて１３のセグメント全てを使用することにより、同一のコンテンツを１２セグ放送と１セグ放送とで同時に放送することも可能である。
【０００５】
ところで、車載用のナビゲーション装置に搭載されている放送受信機では、車両移動中に放送を受信することが多いため、ワンセグ放送を受信することが好ましいが、例えば、パーキングエリアで停車中といった放送受信状況が良いところでは、ワンセグ放送と比較して画質等の品質が良い１２セグ放送を受信することが好ましい場合もある。このため、放送受信装置側の状況に応じて１２セグ放送とワンセグ放送とを、自動的かつ適切に切り替えることができる放送受信装置が様々に提案されている。
【０００６】
例えば、下記の特許文献１（特開２００７−７４０９２号公報）には、１２セグメントチューナーと１セグメントチューナーの２つのチューナーを同時に使用し、１２セグメント放送と１セグメント放送の両方を同時に、かつ選択的に複数の表示装置において視聴する技術が開示されている。これにより、デジタル放送の映像の他、カーナビゲーションシステムの映像、ＤＶＤの映像、アナログ放送の映像等といった様々な映像を、乗用車の前席側表示装置および後席側表示装置等の複数の表示装置に選択的に表示させることができる。
【特許文献１】特開２００７−７４０９２号公報（段落［００４４］〜［００４７］）
【発明の開示】
【発明が解決しようとする課題】
【０００７】
しかしながら、上記の特許文献１の放送受信装置においては、１セグメント放送と１２セグメント放送の両方を同時に二画面表示させることができるものの、二画面表示すると各表示画面を小さくしたり、画面を重ねて表示したりしなければ、表示画面領域全体の大きさを抑えることができず、放送を見やすい形態で提供することができないという問題点があった。特に、１セグメント放送と１２セグメント放送の両方が同じ番組を放送している場合、同じ番組であるにも関わらず両方同時に表示されると、逆に見難くなるという問題点があった。
【０００８】
本願の発明者は上記の問題点を解消すべく種々検討を重ねた結果、１セグメント放送と１２セグメント放送の両方が同じ番組を放送している場合には、いずれか一方（１２セグメント放送優先）を表示し、異なる番組を放送している場合には、両方（主画面に１２セグメント放送、副画面に１セグメント放送）を表示するように制御するようになせば、上記の問題点を解消し得ることを想到し本発明を完成するに至ったものである。
【０００９】
すなわち、本発明は、上記の問題点を解消することを課題とし、ユーザが所望する映像信号の映像を見やすい形態で提示するようにした放送受信装置を提供することを目的とするものである。
【課題を解決するための手段】
【００１０】
前記課題を解決するために、本願の請求項１にかかる発明は、
少なくとも映像信号を含む放送を受信する放送受信装置において、
複数の放送を同時に受信してそれぞれ映像信号を出力する受信手段（例えば下記実施例では、放送受信手段１２に相当する）と、
前記受信手段による映像信号の映像を表示するための主画面と当該主画面の表示領域内に設けられた副画面とを有する表示手段（例えば下記実施例では、表示手段１３に相当する）と、
前記受信手段によって同時に受信した複数の放送の内容を比較する比較手段（例えば下記実施例では、番組比較手段１５に相当する）と、
前記比較手段の結果に応じて、前記複数の放送の内容が異なる場合には、前記受信手段によって受信した複数の異なる放送内容の映像信号のうち、一方の映像信号の映像を前記主画面に表示するとともに他方の映像信号の映像を副画面に表示し、前記複数の放送の内容が同一の場合には、前記受信手段によって受信した複数の同一の放送内容の映像信号のうち、何れか一つの映像信号の映像を前記主画面に表示するように制御する表示制御手段（例えば下記実施例では、表示制御手段１６に相当する）と、
を備えたことを特徴とする。
【００１１】
また、本願の請求項２にかかる発明は、請求項１にかかる放送受信装置において、前記表示制御手段は、内容が異なる複数の放送が高画質の映像信号と低画質の映像信号である場合に、高画質の映像信号の映像を前記主画面に表示するとともに低画質の映像信号の映像を副画面に表示するように制御することを特徴とする。
【００１２】
また、本願の請求項３にかかる発明は、請求項１または請求項２にかかる放送受信装置において、前記表示制御手段は、内容が同一の複数の放送が高画質の映像信号と低画質の映像信号である場合に、高画質の映像信号の映像を前記主画面に表示するように制御することを特徴とする。
【発明の効果】
【００１３】
請求項１にかかる発明においては、放送受信装置は、同時に受信した複数の放送の内容が異なる場合には、異なる放送内容の映像信号のうち、一方の映像信号の映像を表示手段の主画面に表示するとともに他方の映像信号の映像を副画面に表示し、複数の放送の内容が同一の場合には、何れか一つの映像信号の映像のみを主画面に表示するように制御する。
【００１４】
このような構成によれば、同時に受信した複数の放送の内容が同一の場合には、ユーザが所望する映像を表示領域の大きい画面にて表示することができるとともに、同時に受信した複数の放送の内容が異なる場合には、ユーザが所望する映像の方を大きく表示することができる。このため、ユーザが所望する映像信号の映像を見やすい形態で提示することができるので、ユーザにとって映像の視認性が向上する。
【００１５】
また、請求項２にかかる発明のおいては、請求項１にかかる放送受信装置において、前記表示制御手段は、内容が異なる複数の放送が高画質の映像信号と低画質の映像信号である場合に、高画質の映像信号の映像を前記主画面に表示するとともに低画質の映像信号の映像を副画面に表示するように制御する。
【００１６】
このような構成によれば、同時に受信した複数の放送の内容が同一の場合には、ユーザが所望する映像を表示領域の大きい画面にて表示することができるとともに、同時に受信した複数の放送の内容が異なる場合には、高画質の映像の方を低画質の映像よりも大きく表示することができる。このため、ユーザが所望する映像信号の映像を見やすい形態で提示することができるので、ユーザにとって映像の視認性が向上する。
【００１７】
また、請求項３にかかる発明のおいては、請求項１または請求項２にかかる放送受信装置において、前記表示制御手段は、内容が同一の複数の放送が高画質の映像信号と低画質の映像信号である場合に、高画質の映像信号の映像を前記主画面に表示するように制御する。
【００１８】
このような構成によれば、同時に受信した複数の放送の内容が同一の場合には、高画質の映像を表示領域の大きい画面にて表示することができるとともに、同時に受信した複数の放送の内容が異なる場合には、ユーザが所望する高画質の映像の方を低画質の映像よりも大きく表示することができる。このため、ユーザが所望する映像信号の映像を見やすい形態で提示することができるので、ユーザにとって映像の視認性が向上する。
【発明を実施するための最良の形態】
【００１９】
以下、本発明の具体例を実施例及び図面を用いて詳細に説明する。但し、以下に示す実施例は、本発明の技術思想を具体化するための放送受信装置を例示するものであって、本発明をこの放送受信装置に特定することを意図するものではなく、特許請求の範囲に含まれるその他の実施形態の放送受信装置にも等しく適用し得るものである。
【実施例】
【００２０】
図１は、本発明の実施例にかかる放送受信装置１０の構成を示すブロック図である。放送受信装置は、制御手段１１、放送受信手段１２、表示手段１３、入力手段１４、番組比較手段１５、表示制御手段１６などを備えて構成されている。
【００２１】
なお、放送受信手段１２は本発明の受信手段に相当し、表示手段１３は本発明の表示手段に相当し、番組比較手段１５は本発明の番組比較手段に相当し、表示制御手段１６は本発明の表示制御手段に相当する。
【００２２】
また、本実施例は、車載用の放送受信装置を示すものであるが、放送受信機能を有する携帯電話機や携帯ゲーム機などの携帯型の放送受信装置あるいは屋内に設置される固定型の放送受信装置であってもよい。
【００２３】
制御手段１１は、マイクロプロセッサを中心に構成され、一般的なコンピュータ装置と同様にＲＯＭ１１ａ、ＲＡＭ１１ｂなどのメモリを備えている。ＲＯＭ１１ａには各部動作を制御するプログラムを記憶しており、ＲＡＭ１１ｂには制御手段１１の動作に必要な情報を記憶する。
【００２４】
放送受信手段１２は、放送局から送信された地上デジタル放送を受信することができるデジタルチューナーであり、１セグメントのワンセグ放送を受信する１セグチューナー１２ａと１２セグメントの地上デジタルテレビ放送（１２セグ放送）を受信する１２セグチューナー１２ｂとを内蔵した構成となっている。
【００２５】
各チューナーは、それぞれアンテナを介して地上デジタル放送を受信することができるため、本実施例の放送受信装置は、１セグチューナー１２ａを用いて受信されたワンセグ放送と１２セグチューナー１２ｂを用いて受信された１２セグ放送とを同時に受信する同時受信モードと、ワンセグ放送あるいは１２セグ放送のいずれか一方の放送のみを受信するモードとを有し、いずれかのモードにて放送受信動作を行うことが可能である。
【００２６】
地上デジタル放送では、ワンセグ放送と１２セグ放送の両放送にて同一の番組を同時に放送するサイマル放送と、両放送にて異なる番組を同時に放送する非サイマル放送と、の何れかの形態によって番組を放送しており、放送受信手段１２は両方の放送形態に対応可能になっている。各アンテナで受信された地上デジタル放送のデジタルテレビ信号（映像信号と音声信号）は制御手段１１に入力される。
【００２７】
表示手段１３は、制御手段１１によってデジタルテレビ信号に含まれる映像信号から生成された映像データを処理して表示するための装置であり、例えばＬＣＤ（液晶表示装置）や有機ＥＬＤ等の表示装置から構成される。表示手段１３の表示画面は、図３に示すように、領域の大きい主画面（メイン表示画面）１３１とこの主画面の表示領域内に設けられた領域の小さい副画面（サブ表示画面）１３２とで構成されている。
【００２８】
また、表示手段１３には、各種データ放送や電子番組表が表示される他、ナビゲーションによる地図データを表示することもできる。なお、制御手段１１によってデジタルテレビ信号に含まれる音声信号から生成された音声データは、音声出力手段（図示せず）において処理されて出力される。
【００２９】
入力手段１４は、装置の電源ＯＮ／ＯＦＦや、ユーザが視聴する番組や放送局の選局等の指示を放送受信装置に対して行なうための入力用インターフェースであり、表示手段１３の表示画面上に表示されたタッチパネル式ボタンアイコン等により構成されている。タッチパネルは、表示手段１３の表示面に設けられ、表示面の任意の位置における指などの押圧あるいは接触を検出して位置検出信号を生成し、制御手段１１を介してその位置検出信号を表示制御手段１６に対して動作制御信号として出力する。ユーザは表示画面上に表示されるボタンアイコンをタッチすることにより、所望の放送局の番組を視聴することが可能である。
【００３０】
番組比較手段１５は、１セグチューナー１２ａと１２セグチューナー１２ｂを用いて同時に放送を受信している場合に、各チューナー１２ａ，１２ｂにおいて放送番組の映像信号とともに受信している番組表データを比較して、両チューナー１２ａ，１２ｂで受信している放送番組が同一かどうか検出し、その検出信号を表示制御手段１６に対して出力する。
【００３１】
表示制御手段１６は、表示手段１３が制御手段１１においてデジタルテレビ信号に含まれる映像信号から生成された映像データを表示する際に、主画面１３１あるいは副画面１３２の領域に表示するように制御する。
【００３２】
そして、表示制御手段１６は、放送受信手段１２においてワンセグ放送と１２セグ放送とを同時に受信する同時受信モードの場合には、番組比較手段１５からの検出信号に応じて、主画面１３１あるいは副画面１３２の領域に対する映像信号の表示を制御する。
【００３３】
すなわち、同一の放送番組をワンセグ放送と１２セグ放送にて行うサイマル放送を同時に受信している場合には、受信しているいずれか一方の放送の映像信号を主画面１３１の領域に表示する（例えば、図３（Ａ））ように制御する。この場合、図３（Ａ）に示すように、放送受信装置１０が高画質である１２セグ放送を受信可能な状態にある場合には、１２セグ放送の映像信号を主画面１３１の領域に表示することがより望ましい。
【００３４】
また、異なる放送番組をワンセグ放送と１２セグ放送にて行う非サイマル放送を同時に受信している場合には、受信しているいずれか一方の放送の映像信号を主画面１３１の領域に表示し、いずれか他方の放送の映像信号を副画面１３２の領域に表示する（例えば、図３（Ｂ）または（Ｃ））ように制御する。この場合、各映像信号を最初に表示する際には、図３（Ｂ）に示すように、高画質である１２セグ放送の映像信号を主画面１３１の領域に表示し、低画質であるワンセグ放送の映像信号を副画面１３２に表示することがより望ましい。
【００３５】
なお、表示制御手段１６は、放送受信手段１２においてワンセグ放送あるいは１２セグ放送のいずれか一方の放送のみを受信する受信モードの場合には、受信している放送の映像信号を主画面１３１の領域に表示する（例えば、図３（Ａ））ように制御する。
【００３６】
図３は、表示手段１３に表示される画面の一例を示す図である。具体的には、図３（Ａ）は、サイマル放送を同時に受信している場合に主画面１３１の領域に１２セグ放送の映像データのみが表示されている例を示し、図３（Ｂ）は、非サイマル放送を同時に受信している場合に主画面１３１の領域に１２セグ放送の映像データが表示され、副画面１３２の領域にワンセグ（１セグ）放送の映像データが表示されている例を示し、図３（Ｃ）は、非サイマル放送を同時に受信している場合に主画面１３１の領域にワンセグ放送の映像データが表示され、副画面１３２の領域に１２セグ放送の映像データが表示されている例を示している。
【００３７】
なお、表示画面上に映像信号の映像が表示されている主画面表示領域あるいは副画面表示領域をユーザがタッチすることにより、所望の映像信号の映像を容易に選択することができる機能を設けてもよい。この場合、表示制御手段１６は、ユーザにより主画面１３１の表示領域あるいは副画面１３２の表示領域がタッチされることにより入力手段１４から出力される動作制御信号に応じて、主画面１３１あるいは副画面１３２の領域に対する映像信号の表示を制御する。
【００３８】
すなわち、例えば、図３（Ｂ）に示すように、主画面１３１の領域に１２セグ放送の映像信号が表示され、副画面１３２の領域にワンセグ放送の映像信号が表示されているときに、表示制御手段１６は、ユーザにより主画面１３１の表示領域がタッチされると、それに基づく動作制御信号に応じて副画面１３２の領域に表示されている映像信号の表示を中断させることにより、主画面１３１の領域に表示されている映像信号の表示のみ（例えば、図３（Ａ））となるように制御してもよい。
【００３９】
また、図３（Ｂ）に示すように、主画面１３１の領域に１２セグ放送の映像信号が表示され、副画面１３２の領域にワンセグ放送の映像信号が表示されているときに、表示制御手段１６は、ユーザにより副画面１３２の表示領域がタッチされると、それに基づく動作制御信号に応じて副画面１３２の領域に表示されている映像信号を主画面１３１の領域に切り換えて表示するように制御してもよい。この場合、切り換え表示する前に主画面１３１の領域に表示されていた映像信号は副画面１３２の領域に切り換えて表示する（例えば、図３（Ｃ））ように制御することがより望ましいが、副画面１３２の領域へ切り換えて表示することなく主画面１３１の領域に表示されていた映像信号の表示を中断させてもよい。
【００４０】
次に、本発明にかかる放送受信装置の表示制御動作について説明する。
【００４１】
図２は、本実施例にかかる放送受信装置の動作を示すフローチャートであり、複数の放送を同時に受信する同時受信モード時の表示制御を示している。
【００４２】
なお、図２に示す動作は制御手段１１に備えられたＲＯＭ１１ａに記憶されている制御プログラムを実行することで実現される。
【００４３】
まずステップＳ２１の処理において、制御手段１１は番組比較手段１５を制御することによって、放送受信手段１２の１セグチューナー１２ａを用いて受信しているワンセグ放送の番組表データと１２セグチューナー１２ｂを用いて受信している１２セグ放送の番組表データとの比較を行ない、ステップＳ２２の処理において、同一の放送番組をワンセグ放送と１２セグ放送にて受信しているか否か判定する。
【００４４】
そして、同一の放送番組（サイマル放送）を放送受信手段１２にて同時に受信している場合には、ステップＳ２３に進み、異なる放送番組（非サイマル放送）を放送受信手段１２にて同時に受信している場合には、ステップＳ２４に進む。
【００４５】
ステップＳ２３の処理において、制御手段１１は、放送受信手段１２の１２セグチューナー１２ｂを用いて１２セグ放送を受信可能な状態にあるか否か判定し、１２セグ放送が受信可能な状態である場合には、ステップＳ２５に進み、１２セグ放送が受信可能な状態ではない場合には、ステップＳ２６に進む。
【００４６】
そして、ステップＳ２５の処理においては、表示制御手段１６の制御により、図３（Ａ）に示すように、１２セグチューナー１２ｂを用いて受信している１２セグ放送の映像信号が表示手段１３の主画面１３１に表示される。一方、ステップＳ２６の処理においては、表示制御手段１６の制御により、１セグチューナー１２ａを用いて受信しているワンセグ放送の映像信号が表示手段１３の主画面１３１に表示される。
【００４７】
また、ステップＳ２４の処理においては、表示制御手段１６の制御により、図３（Ｂ）に示すように、１２セグチューナー１２ｂを用いて受信している１２セグ放送の映像信号が表示手段１３の主画面１３１に表示されるとともに、１セグチューナー１２ａを用いて受信しているワンセグ放送の映像信号が表示手段１３の副画面１３２に表示される。
【００４８】
そして、ステップＳ２７の処理において、ユーザにより入力手段１４のタッチパネル式ボタンアイコンから放送視聴のオフのための終了ボタンが選択されたか否か判定し、終了ボタンが選択された場合にはデジタル放送の視聴を中止して処理を終了し、一方、終了ボタンが選択されていない場合にはステップＳ２１の処理に戻る。
【００４９】
以上説明したように本発明にかかる放送受信装置によれば、同一の放送番組をワンセグ放送と１２セグ放送にて行うサイマル放送を同時に受信している場合には、どちらか一方の映像信号のみを表示手段の表示領域全体に表示し、異なる放送番組をワンセグ放送と１２セグ放送にて行う非サイマル放送を同時に受信している場合には、各映像信号を主画面と当該主画面の表示領域内に設けられた副画面にそれぞれ表示する。
【００５０】
これにより、サイマル放送の映像信号の映像を表示領域の大きい画面にて表示することが可能である。このため、ユーザが所望する映像信号の映像を見やすい形態で提示することができるので、ユーザにとって映像の視認性が向上する。
【００５１】
なお、上記実施例では、複数の放送として、ワンセグ放送と１２セグ放送を例にして説明したが、これに限ることはなく、画質などの品質の異なる複数の放送であれば、本発明は同様に適用することができる。
【図面の簡単な説明】
【００５２】
【図１】本発明の実施例にかかる放送受信装置の構成を示すブロック図である。
【図２】本発明の実施例にかかる放送受信装置の表示制御動作を示すフローチャートである。
【図３】本発明の実施例にかかる表示手段に表示される画面の一例を示す図である。
【符号の説明】
【００５３】
１０・・・・放送受信装置
１１・・・・制御手段
１１ａ・・・ＲＯＭ
１１ｂ・・・ＲＡＭ
１２・・・・放送受信手段
１２ａ・・・１セグチューナー
１２ｂ・・・１２セグチューナー
１３・・・・表示手段
１４・・・・入力手段
１５・・・・番組比較手段
１６・・・・表示制御手段
【図１】
2010004091.tif 000003
【図２】
2010004091.tif 000004
【図３】
2010004091.tif 000005